(57)【要約】【課題】農業用ビニルハウスの側面や谷部の換気用シートを巻き上げて開口を生じさせ、又は巻き下ろして開口を閉じる換気装置のシート巻き軸を、回転動力手段である回転機の出力軸と接続する軸継手構造、および軸継手構造に使用する軸継手部材を提供する。【解決手段】軸継手部材３は、回転機２の出力軸４が嵌め込まれるソケット部３１と、シート巻き軸１が嵌め込まれるソケット部３２とが隔壁３３により非連通構造に隔てられた管状体として構成され、軸継手部材３の外周面に水切り用のフランジ３４が鍔状に起立されており、各ソケット部３１、３２へ嵌め込まれた回転機２の出力軸４およびシート巻き軸１はそれぞれ止めネジ８、９で固定され、シート巻き軸１が嵌め込まれたソケット部３２内の奥端近傍の位置に外周面へ貫通する水抜き孔３５が設けられている。【選択図】図１
2010124727.tif 000002
【特許請求の範囲】
【請求項１】
ビニルハウス換気用シートの巻き軸と回転機の出力軸とを、中心線を共有する一直線状に接続する軸継手構造において、
軸継手部材は、回転機の出力軸が嵌め込まれるソケット部と、シート巻き軸が嵌め込まれるソケット部とが隔壁により非連通構造に隔てられた管状体として構成され、当該軸継手部材の外周面に水切り用のフランジが鍔状に起立されており、
各ソケット部へ嵌め込まれた回転機の出力軸およびシート巻き軸はそれぞれ止めネジで固定され、
シート巻き軸が嵌め込まれたソケット部内の奥端近傍の位置に外周面へ貫通する水抜き孔が設けられていることを特徴とする、換気用シート巻き軸と回転機出力軸とを接続する軸継手構造。
【請求項２】
回転機の出力軸が嵌め込まれた軸継手部材のソケット部の端面と、回転機の軸受け部の端面との間に止水用パッキンが密接に嵌め込まれていることを特徴とする、請求項１に記載した換気用シート巻き軸と回転機出力軸とを接続する軸継手構造。
【請求項３】
ビニルハウス換気用シートの巻き軸と回転機の出力軸とを、中心線を共有する一直線状に接続する軸継手部材であって、                   
回転機の出力軸が嵌め込まれるソケット部と、シート巻き軸が嵌め込まれるソケット部とが中心線を共有する一直線状に配置され、隔壁により非連通構造に隔てられた管状体として構成され、
当該軸継手部材の外周面に水切り用のフランジが鍔状に起立されており、
シート巻き軸が嵌め込まれるソケット部内の奥端近傍の位置に外周面へ貫通する水抜き孔が設けられ、
各ソケット部へ嵌め込まれた回転機の出力軸およびシート巻き軸をそれぞれ固定する止めネジ機構を備えていることを特徴とする、換気用シート巻き軸と回転機出力軸とを接続する軸継手部材。
【請求項４】
シート巻き軸が嵌め込まれるソケット部内の奥端面に、前記水抜き孔の開口を確保する突き当たり突起が設けられ、シート巻き軸が嵌め込まれるソケット部の内周面に、シート巻き軸の外周面との間に一定の水抜き隙間を確定する突条が、円周方向に間隔を開けて複数、それぞれ軸線方向に長く設けられていることを特徴とする、請求項３に記載した換気用シート巻き軸と回転機出力軸とを接続する軸継手部材。
【発明の詳細な説明】
【技術分野】
【０００１】
この発明は、農業用ビニルハウスの側面や谷部の換気用シートを巻き上げて開口を生じさせ、又は巻き下ろして前記開口を閉じる換気装置のシート巻き軸を、回転動力手段である回転機の出力軸と接続する軸継手構造、および前記軸継手構造に使用する軸継手部材の技術分野に属する。
【背景技術】
【０００２】
従来、農業用ビニルハウスの換気手段として、同ビニルハウスの側面や谷部の換気用シートを巻き上げて開口を生じさせ、又は巻き下ろして前記開口を閉じる簡便な換気装置が広く実用に供されている。前記のシート巻き軸に回転を与える回転機についても、手動式のほか、電動式などが種々開発されている。
この種の換気装置は、簡便で実用的である上に、奏する作用効果の良さがそれなりに評価され、広く実用に供されているが、未だ解決するべき課題も残っている。
その課題の一つは、換気用シートの内面に常時発生する結露の弊害、及び野ざらしで使用されるが故に雨水がもたらす弊害の解決である。
【０００３】
換気用シートの内面に発生した結露は、大きく成長するとそのままシート巻き軸まで滑り落ちる。また、滑り落ちない結露も、同シートをシート巻き軸で巻き上げる度にシート間に巻き込まれて大粒化するので、最終的にはシート巻き軸まで流れ着いて溜まる。また、雨天時には換気用シートを巻き下ろして開口を閉鎖するが、その際の雨水はシート巻き軸の部分へ溜まりやすい。
前記のようにしてシート巻き軸まで流れ着いて溜まる雨水や結露は、更には同シート巻き軸の傾きにしたがい、シート巻き軸を伝って低きへ流れてゆくことになる。
【０００４】
上記ビニルハウスの換気装置におけるシート巻き軸に作用する荷重分布のうち、傾きを発生させるほど大きい集中負荷としては、シート巻き軸の端部に接続した回転機の重量が突出している。そのためシート巻き軸は、通例、回転機を接続した端部が低く垂れ下がり、同端部を最下点として一定の長さ範囲に下り傾斜を生じやすい。
その結果、上記したようにシート巻き軸の部分へ辿り着いて溜まった雨水や結露は、当然のようにシート巻き軸を伝って回転機の方へ流れ移動することになり、その途中に存在する回転機の出力軸とシート巻き軸を接続した軸継手部分へ辿り着き、表面張力により軸継手構造の内部へ浸透して滞留することになる。そのため通例鋼製である軸継手部分は、雨水や結露による錆や腐食の被害を招きやすく、長期間の使用中に赤錆を生じ、耐用寿命が短縮されるという問題点が指摘されている。
のみならず軸継手部分を通過した一部の雨水や結露は更に回転機まで辿り着き、表面張力により回転機の軸受部分から回転機の内部へも浸透して滞留することになりやすい。その結果、回転機の内部機構に錆や腐食の問題を発生させる。また、電動式回転機の場合には電気系統の故障の原因となりやすい等々の問題点が指摘されている。
【０００５】
ところで、農業用ビニルハウスの換気装置におけるシート巻き軸の回転伝達機構に関する先行技術として、例えば下記の特許文献１に開示された軸継手は、単位長さのシート巻き軸同士の中継接続に使用される軸継手であり、一端部の回転機から加えられた回転力をシート巻き軸の全長にわたり一体として回転させることに腐心した構成である。しかし、雨水や結露による錆、腐食の弊害解決に顧慮した内容ではない。
また、下記の特許文献２に開示された軸継手は、電動式回転機の出力軸と、シート巻き軸とを連結する継手であるが、停電や落雷の被害、故障などにより電動式回転機でシート巻き軸を回転できない非常事態に、シート巻き軸を手動ハンドルで回転できる構成としたものである。つまり、シート巻き軸と回転機出力軸の継手に関して、雨水や結露の到来による錆、腐食の弊害解決に顧慮した内容ではない。
その他にも、シート巻き軸と回転機出力軸の継手に関し、雨水や結露の集中による錆、腐食の弊害の解決に顧慮した先行技術は見当たらない。
【０００６】
【特許文献１】特許第３７８４１２５号公報
【特許文献２】特開２００１−２０４２６９号公報
【発明の開示】
【発明が解決しようとする課題】
【０００７】
本発明の目的は、農業用ビニルハウスの換気装置において、シート巻き軸の端部へ接続した回転機の重量が原因でシート巻き軸に傾きを生じ、上述した現象でシート巻き軸に付着し又は溜まった雨水や結露が同シート巻き軸を伝って低きに流れ、シート巻き軸と回転機出力軸とを接続する軸継手部分へ辿り着いても、同雨水や結露は速やかに排出させて滞留することを防ぐ構成とし、もって雨水や結露が原因の錆、腐食の発生を防ぐこと、および前記雨水や結露が更に軸継手部分を越えて回転機にまで辿り着くことを防ぐ構成として回転機の不調や故障の原因を除き、それぞれが本来の耐用寿命を発揮する構成に改良した軸継手構造および軸継手部材を提供することである。
【課題を解決するための手段】
【０００８】
上記従来技術の課題を解決するための手段として、請求項１に記載した発明に係る換気用シート巻き軸と回転機出力軸とを接続する軸継手構造は、
ビニルハウスの換気用シートの巻き軸１と回転機２の出力軸４とを、中心線を共有する一直線状に接続する軸継手構造において、
軸継手部材３は、回転機２の出力軸４が嵌め込まれるソケット部３１と、シート巻き軸１が嵌め込まれるソケット部３２とが隔壁３３により非連通構造に隔てられた管状体として構成され、当該軸継手部材３の外周面に水切り用のフランジ３４が鍔状に起立されており、
各ソケット部３１、３２へ嵌め込まれた回転機２の出力軸４およびシート巻き軸１はそれぞれ止めネジ８、９で固定され、
シート巻き軸１が嵌め込まれたソケット部３２内の奥端近傍の位置に外周面へ貫通する水抜き孔３５が設けられていることを特徴とする。
請求項２に記載した発明は、請求項１に記載した換気用シート巻き軸と回転機出力軸とを接続する軸継手構造において、
回転機２の出力軸４が嵌め込まれた軸継手部材３のソケット部３１の端面と、回転機２の軸受け部２ａの端面との間に止水用パッキン５が密接に嵌め込まれていることを特徴とする。
【０００９】
請求項３に記載した発明に係る換気用シートの巻き軸と回転機の出力軸とを接続する軸継手部材３は、
ビニルハウスの換気用シート巻き軸１と回転機２の出力軸４とを、中心線を共有する一直線状に接続する軸継手部材であって、                   
回転機２の出力軸４が嵌め込まれるソケット部３１と、シート巻き軸１が嵌め込まれるソケット部３２とが隔壁３３により非連通構造に隔てられた管状体として構成され、
当該軸継手部材３の外周面に水切り用のフランジ３４が鍔状に起立されており、
シート巻き軸１が嵌め込まれるソケット部３２内の奥端近傍の位置に、外周面へ貫通する水抜き孔３５が設けられ、
各ソケット部３１、３２へ嵌め込まれた回転機２の出力軸４およびシート巻き軸１をそれぞれ固定する止めネジ機構８、９を備えていることを特徴とする。
請求項４に記載した発明は、請求項３に記載した換気用シートの巻き軸と回転機の出力軸とを接続する軸継手部材３において、
シート巻き軸１が嵌め込まれるソケット部３２内の奥端面に、前記水抜き孔３５の開口を確保する突き当たり突起３６が設けられ、更にシート巻き軸１が嵌め込まれるソケット部３２の内周面に、シート巻き軸１の外周面との間に一定の水抜き隙間７を確定する突条３６が、円周方向に間隔を開けて複数、それぞれ軸線方向に長く設けられていることを特徴とする。
【発明の効果】
【００１０】
請求項１、２に記載した発明に係る軸継手構造、および請求項３、４に記載した発明に係る軸継手部材３によれば、雨水や結露がシート巻き軸１を伝って低きに流れ下り、軸継手部分へ辿り着いても、継手部材３の外周面を伝って更に回転機２の方へ流れようとする雨水や結露は、同軸継手部材３の外周面に起立された水切り用フランジ３４で流れを堰き止められる上に、同軸継手部材３が回転されることも手伝って外方へ放散される（又は振り切られる）ので、同水切り用フランジ３４の位置より以上に回転機２の方へ流れ下ることは防止される。
それでもなお、仮に、一部の雨水や結露が回転機２の方へ流れ下る現象を生じたとしても、回転機２の出力軸４を支持する軸受け部２ａにはそもそも止水パッキンが装着されているので、前記が雨水や結露が到達しても本来支障はない。しかも、請求項２のように回転機２の出力軸４が嵌め込まれたソケット部３１の端面と、回転機２の軸受け部２ａの端面との間に止水用パッキン５が密接に嵌め込まれていると、前記の雨水や結露が回転機２の中へ侵入する懸念は一切生じない。よって、回転機２が雨水や結露によって不調になったり故障する心配はない。
【００１１】
一方、軸継手部材３において、シート巻き軸１が嵌め込まれたソケット部３２内へ雨水や結露が表面張力等の現象で浸透したとしても、同ソケット部３２内の奥端近傍の位置に設けられた、外周面へ貫通する水抜き孔３５へ到達した段階で、同軸継手部材３が回転されることも手伝って速やかに同水抜き孔３５を通じて外部へ放出され、長時間滞留する懸念はない。したがって、軸継手部材３およびシート巻き軸１が雨水や結露の長時間滞留によって錆や腐食を発生する不都合は防げる。  
しかも、請求項４に記載した発明のように、シート巻き軸１が嵌め込まれたソケット部３２内の奥端面に、前記水抜き孔３５の開口を確保する突き当たり突起３６が設けられていると、上記水抜き孔３５による雨水や結露の外部への放出作用と効果は一段と高まる。また、シート巻き軸１が嵌め込まれたソケット部３２の内周面に、シート巻き軸１の外周面との間に一定の水抜き隙間７を確定する突条３６を円周方向に間隔を開けて複数、それぞれ軸線方向に長い構成で設けた構成によれば、雨水や結露が同ソケット部３２の中へ表面張力で浸透する作用を減退できるし、仮に同ソケット部３２の中へ雨水等が一旦侵入しても、前記水抜き隙間７や水抜き孔３５による排出（放出）作用を期待できるから、やはり雨水や結露が長時間滞留して錆や腐食が発生することは防止され、耐用寿命を良く全うできる。
【発明を実施するための最良の形態】
【００１２】
ビニルハウスの換気用シートの巻き軸１と回転機２の出力軸４とを中心線を共有する一直線状に接続する軸継手構造である。
軸継手部材３は、回転機２の出力軸４が嵌め込まれるソケット部３１と、シート巻き軸１が嵌め込まれるソケット部３２とが隔壁３３により非連通構造に隔てられた管状体として構成し、当該軸継手部材３の外周面に水切り用のフランジ３３を鍔状に起立させる。
各ソケット部３１、３２へ嵌め込まれた回転機２の出力軸４およびシート巻き軸１はそれぞれ止めネジ８、９で固定する。
シート巻き軸１が嵌め込まれるソケット部３２内の奥端近傍の位置に外周面へ貫通する水抜き孔３５を設ける。
回転機２の出力軸４が嵌め込まれたソケット部３２の端面と、回転機２の軸受け部２ａの端面との間に止水用パッキン５を密接に嵌め込む。
【実施例１】
【００１３】
次に、本発明を図示した実施例に基づいて説明する。
先ず図１〜図３は、農業用ビニルハウスの換気用シートの巻き軸１と回転機２の出力軸とを、継手部材３により、各軸が中心線を共有する一直線状の配置に接続した軸継手構造を示している。因みに、図１の回転機２は、通例地面に突き刺して立てられたガイド支柱１０を伝う複数のローラ１１を放射状配置に備えたガイド機構１２と、繋ぎ材１３を介して巻き軸１と連結されている。つまり、ガイド支柱１０が回転機２の回転（自転）を規制しつつ、農業用ビニルハウスの換気用シートを巻き上げ（開口する）又は巻き下げる（閉鎖する）巻き軸１の上下移動（平行移動）に自在に追従する構成とされている。
【００１４】
上記軸継手部材３は、図２〜図３に構造詳細を示したように、回転機２の出力軸４が嵌め込まれるソケット部３１と、シート巻き軸１が嵌め込まれるソケット部３２とが、隔壁３３により非連通構造に隔てられた管状体として構成されている。当該軸継手部材３の外周面には、図示した実施例の場合は、前記隔壁３３の外周相当の位置に水切り用のフランジ３４が円周方向に連続する鍔状に起立されており、この水切り用のフランジ３４の位置よりも左方の回転機２の方へ雨水等が伝い流れることを防ぐ構成とされている。この軸継手部材３は、一例として錆に強いステンレス鋼（ＳＵＳ３０４）の鋳造品として製作されている。前記水切り用フランジ３４の高さ（ソケット部３２の外径に対する水切り用フランジ３４の外径との差寸）は、前記水切り作用ないし堰き止め作用の実効性に照らして定める（一例として３ｍｍ程度の高さ）。当該軸継手部材３の左端位置にも、前記同様の目的で、および後述する止水用パッキンとの接触面を増大する目的でフランジ３８が起立されている。
【００１５】
上記構成の軸継手部材３における各ソケット部３１、３２へ嵌め込まれた回転機２の出力軸４およびシート巻き軸１は、それぞれ止めネジ（又はボルト）８、９で固定されている。そのため図示の実施例では、各ソケット部３１、３２の直径線方向に相対峙する配置でネジ孔を設け、その各ネジ孔へ止めネジ８、９をねじ込んだ止めネジ機構として構成とされている。
一方、シート巻き軸１が嵌め込まれる図中右側のソケット部３２内の奥端面にほぼ接する近傍の位置に、図示例の場合にはやはり直径線方向に相対峙する２箇所の位置に、外周面へ貫通する水抜き孔３５が２個（ただし、個数、配置はこの限りでない。）設けられている。
更に、回転機２の出力軸４が嵌め込まれたソケット部３１の端面と、回転機２の軸受け部２ａの端面との間に、止水用パッキン５が密接に嵌め込まれている。即ち、軸継手部材３において回転機２の出力軸４が嵌め込まれたソケット部３１を可能な限り強く、回転機２の軸受け部２ａ方へ押し込んで、止水用パッキン５を十分強く圧縮した状態にして、止めネジ８で出力軸４が強固に固定されている。               
【００１６】
更に、軸継手部材３の細部の構成を説明する。シート巻き軸１が嵌め込まれるソケット部３２内の奥端面には、シート巻き軸１の進入を規制して、前記水抜き孔３５の開口を確保する突き当たり突起３６が設けられている。同じくシート巻き軸１が嵌め込まれるソケット部３２の内周面には、図４が分かりやすいように、シート巻き軸１の外周面との間に一定の水抜き隙間７を確定する突条３７が、円周方向に間隔を開けて複数、それぞれ軸線方向に長く設けられている。図４に示す実施例では、前記突き当たり突起３６と突条３７は、鋳造の便宜上、円周方向に共通する配置で４箇所設けられた構成を示すが、この限りではない。侵入した雨水等の排出に効果を奏するかぎり、突き当たり突起３６と突条３７を別異の配置として、或いはもっと少数、又は逆にもっと多数を設けても良い。
【００１７】
上記の構成によれば、シート巻き軸１を伝って流れ下る結露や雨水は、軸継手部材３の構造上、ソケット部３２の内周面とシート巻き軸１の外周面との間に一定の水抜き隙間７を形成して積極的に同水抜き隙間７へ誘い込み、同軸継手部材３の外周面を伝って更に回転機２の方へ流れ下る結露や雨水の分量を可及的に減らす。そして、水抜き隙間７へ誘い込んだ結露や雨水は、重力作用で、或いは軸継手部材３が回転機２により換気用シートを巻き上げ又は巻き下ろす回転時の遠心力の作用で、その大部分が水抜き孔３５や水抜き隙間７から積極的に放散され排除されるから、ソケット部３２内に滞留することを防ぐ。
一方、軸継手部材３の外周面を伝って更に回転機２の方へ流れ下る結露や雨水が仮に発生しても、それらは水切り用フランジ３４がせき止めるし、また、軸継手部材３の上記回転時の遠心力の作用で、同水切り用フランジ３４の位置以上に回転機２の方へ流れ下る結露や雨水の発生を確実に防ぐ。
それでもなお、回転機２の方へ流れ下る結露や雨水が万が一発生しても、回転機２の出力軸４が嵌め込まれたソケット部３１の端面と、回転機２の軸受け部２ａの端面との間に止水用パッキン５が密接に嵌め込まれているから、雨水や結露が回転機２の中へ侵入する虞は生じない。よって、回転機２が雨水や結露によって不調になったり故障する心配はないのである。
【００１８】
以上に本発明を図示した実施例に基づいて説明したが、もとより本発明は実施例の構成に限定されるものではない。いわゆる当業者が必要に応じて行うであろう設計変更その他の応用、改変の範囲まで含むことを念のため申し添える。
【図面の簡単な説明】
【００１９】
【図１】本発明に係る農業用ビニルハウスの換気用シートの巻き軸と回転機の軸継手構造の実施例を示した斜視図である。
【図２】上記巻き軸と回転機の軸継手構造を示した正面図である。
【図３】図２のIII-III線矢視断面図である。
【図４】図２のIV-IV線矢視断面図である。
【符号の説明】
【００２０】
１          シート巻き軸
２          回転機
３          軸継手部材
４          回転機の出力軸
３１、３２  ソケット部
３３        隔壁
３４        水切り用フランジ
８、９      止めネジ
３５        水抜き孔
５          パッキン
７          水抜き隙間
３７        突条
【図１】
2010124727.tif 000003
【図２】
2010124727.tif 000004
【図３】
2010124727.tif 000005
【図４】
2010124727.tif 000006